(57)【要約】 【課題】良好な画質のクロスダイクロイックプリズムを製造する方法、クロスダイクロイックプリズム、光学装置、およびプロジェクタを提供すること。【解決手段】クロスダイクロイックプリズム３４は、４個のダイクロイックプリズム３４１のうち２個をそれぞれ接合形成面３４２Ｄを基準面に対向させて載置し、赤色光反射膜３４３Ａおよび接着面３４２Ｃの間と、接合形成面３４２Ｄおよびフィルムの間とに接着層３４４を形成し、接合形成面３４２Ｄ側の接着層３４４を研磨して平滑な接合面３４２Ｅを形成してこの接合面３４２Ｅの全面に青色光反射膜３４３Ｂを形成する。これにより、接合面３４２Ｅを確実に平滑に研磨でき、このような接合面３４２Ｅに波長選択性反射膜を設けることで良質な画質のカラー画像を形成できる。【選択図】 図６
2007058008.tif 000002
【特許請求の範囲】
【請求項１】
第１面と第２面とが略直角の頂角を挟んで設けられるとともに前記頂角同士を中心に近接配置し底面部を外側に配置した三角柱プリズム４個と、これらの三角柱プリズムの間に波長選択性反射膜と接着層とがそれぞれ設けられたクロスダイクロイックプリズムを製造する方法であって、
前記三角柱プリズムの２個を、それぞれ前記第１面をプリズム製造治具における基準面に対向させるとともに前記第２面同士を接着剤で接着してプリズムペアを成形し、このプリズムペアを成形する際に接着剤を前記プリズムペアの前記第１面に亘って塗布して前記プリズムペアの前記第１面の略全面に接着層を形成した後、この接着層を平滑に形成し、
波長選択性反射膜を前記プリズムペアの前記第１面の上の前記接着層表面に亘って形成するとともに、この波長選択性反射膜と残り２個の前記三角柱プリズムの前記第１面とを接着剤で接着してクロスダイクロイックプリズムを製造することを特徴とするクロスダイクロイックプリズムの製造方法。
【請求項２】
請求項１に記載されたクロスダイクロイックプリズムの製造方法において、
前記プリズムペアの前記第１面に接着層を形成するために前記基準面の上に基材を配置し、この基材と前記第１面との間に接着層を設け、前記波長選択性反射膜を形成する前に前記基材を前記接着層から剥がすことを特徴とするクロスダイクロイックプリズムの製造方法。
【請求項３】
請求項２に記載されたクロスダイクロイックプリズムの製造方法において、
前記基材は可撓性フィルムであることを特徴とするクロスダイクロイックプリズムの製造方法。
【請求項４】
請求項２または請求項３に記載されたクロスダイクロイックプリズムの製造方法において、
前記基準面は連続した平面であることを特徴とするクロスダイクロイックプリズムの製造方法。
【請求項５】
請求項１から請求項４のいずれかに記載されたクロスダイクロイックプリズムの製造方法において、
前記接着層を平滑にする作業はバフ研磨で行うことを特徴とするクロスダイクロイックプリズムの製造方法。
【請求項６】
請求項１から請求項５のいずれかに記載されたクロスダイクロイックプリズムの製造方法において、
前記プリズムペアの前記第１面と前記波長選択性反射膜との間の接着層と前記第２面の間の接着層とは略Ｔ字形に連続形成されていることを特徴とするクロスダイクロイックプリズムの製造方法。
【請求項７】
請求項１から請求項６のいずれかに記載されたクロスダイクロイックプリズムの製造方法において、
前記プリズムペアを予め２組用意し、これらのプリズムペアの一方に前記波長選択性反射膜を形成し、この波長選択性反射膜と残りのプリズムペアの前記第１面との間に接着層を形成したことを特徴とするクロスダイクロイックプリズムの製造方法。
【請求項８】
請求項１から請求項７のいずれかに記載されたクロスダイクロイックプリズムの製造方法で製造されたことを特徴とするクロスダイクロイックプリズム。
【請求項９】
請求項８に記載されたクロスダイクロイックプリズムと、このクロスダイクロイックプリズムの外側に位置している４面のうち３面にそれぞれ近接配置される液晶パネルと、前記クロスダイクロイックプリズムのうち残り１面に対向配置される投射レンズとを備えたことを特徴とする光学装置。
【請求項１０】
請求項９に記載された光学装置を備えたことを特徴とするプロジェクタ。
【発明の詳細な説明】
【技術分野】
【０００１】
本発明は、４個の三角柱プリズムを備えたクロスダイクロイックプリズムを製造する方法、このクロスダイクロイックプリズムの製造方法で製造されたクロスダイクロイックプリズム、このクロスダイクロイックプリズムを備えた光学装置、この光学装置を備えたプロジェクタに関する。
【背景技術】
【０００２】
従来、光の色合成や色分離するクロスダイクロイックプリズムが知られている。このようなクロスダイクロイックプリズムには、２つの断面直角二等辺三角形の三角柱プリズムの頂角同士が近接するように接着固定したプリズムペアを２つ接着固定することで形成されるタイプのものが知られている。
【０００３】
このようなタイプのクロスダイクロイックプリズムのプリズムペアでは、２つの三角柱プリズムのうち一方の一面に、所定の波長の光を反射してその他の波長の光を透過させる波長選択性反射膜が形成され、この波長選択性反射膜と他方の三角柱プリズムの対向面との間に接着剤による接着層が形成されている。また、２つのプリズムペアのうち一方の一面に波長選択性反射膜が形成され、この波長選択性反射膜と他方のプリズムペアの対向面との間に接着層が形成されている。
【０００４】
このようなタイプのクロスダイクロイックプリズムの製造方法として、プリズムペアを形成した後に、プリズムペア同士を接着固定する方法が知られている（例えば特許文献１）。
【０００５】
この特許文献１に記載のクロスダイクロイックプリズムの製造方法では、同一平面となる２つの基準面部が溝部を介して形成された組み立て治具が用いられる。まず、２つの直角プリズムの貼り合せ面に接着剤を塗布して貼り合せる。この後、貼り合せ面が溝部の上方に配置されるように基準面部に載置し、これらの２つのプリズムを基準面部に押し付けて、接着剤を固化させる。ここで、溝部側に余分な接着剤がはみ出たり、プリズムを押し付ける力により２つのプリズムに段差が生じたりする場合があり、このような場合、プリズムおよびはみ出た接着剤およびプリズムを研磨して平坦な接合面となるように加工し、プリズム対が形成される。この後、形成された２つのプリズム対のうち一方の接合面に反射膜を形成し、この反射膜と他方のプリズム対の接合面との間を接着剤により固着させてクロスダイクロイックプリズムが製造される。
【０００６】
【特許文献１】特開平１１−３５２４４０号公報（段落番号「００５０」および図５参照）
【発明の開示】
【発明が解決しようとする課題】
【０００７】
ところで、２つのプリズム対のうち一方のプリズム対の接合面に波長選択性反射膜を連続して形成されるため、接合面を平坦面にする必要がある。しかしながら、特許文献１に記載のような従来の製造方法では、溝部側に余分な接着剤がはみ出たり、２つのプリズムに段差が生じたりした場合、はみ出た接着剤だけでなくプリズムまでをも研磨して、接合面を平坦面にする。このような方法では、接着剤とガラスから成形されるプリズムとの強度の差により、プリズムを研磨している時に、強度が弱い接着層にひびが入るなどして欠損してしまったり、接着層が余分に研磨されたりして接合面の表面に凹溝部が形成されてしまう場合がある。このような凹溝部が形成された状態で波長選択性反射膜を形成すると、この凹溝部における波長選択性反射膜が破損されたりして形成が困難になる。このようなプリズム対を用いてクロスダイクロイックプリズムを製造すると、波長選択性反射膜が形成されなかった部分で所定の波長の光が反射されず、クロスダイクロイックレンズから投射されるカラー画像が色ずれを起したり、画質が低下したりする虞があるという問題がある。
【０００８】
本発明は、良好な画質のクロスダイクロイックプリズムを製造する方法、クロスダイクロイックプリズム、光学装置、およびプロジェクタを提供することを目的とする。
【課題を解決するための手段】
【０００９】
本発明のクロスダイクロイックプリズムの製造方法は、第１面と第２面とが略直角の頂角を挟んで設けられるとともに前記頂角同士を中心に近接配置し底面部を外側に配置した三角柱プリズム４個と、これらの三角柱プリズムの間に波長選択性反射膜と接着層とがそれぞれ設けられたクロスダイクロイックプリズムを製造する方法であって、前記三角柱プリズムの２個を、それぞれ前記第１面をプリズム製造治具における基準面に対向させるとともに前記第２面同士を接着剤で接着してプリズムペアを成形し、このプリズムペアを成形する際に接着剤を前記プリズムペアの前記第１面に亘って塗布して前記プリズムペアの前記第１面の略全面に接着層を形成した後、この接着層を平滑に形成し、波長選択性反射膜を前記プリズムペアの前記第１面の上の前記接着層表面に亘って形成するとともに、この波長選択性反射膜と残り２個の前記三角柱プリズムの前記第１面とを接着剤で接着してクロスダイクロイックプリズムを製造することを特徴とする。
【００１０】
この発明によれば、三角柱プリズムの２個をそれぞれ第１面をプリズム製造治具における基準面に対向させて、第２面同士を接着させる接着剤とプリズムペアの第１面の略全面にも亘って塗布し接着層を形成する。この後、この接着層を平滑に形成し、波長選択性反射膜を平滑な接着層の上からプリズムペアの第１面の全面に亘って形成する。これにより、三角柱プリズムを削らずに、接着層のみを平滑に形成するので、素材の違いによるひび割れなどの欠損部や凹状部ができない。したがって、第１面に凹凸などができず、平滑になるので、この第１面に形成する波長選択性反射膜も容易に全面に平滑に形成することが可能となる。よって、このような波長選択性反射膜により所定の波長の光を、色ずれなどを起すことなく良好に反射させることが可能となり、画質も良好になる。
【００１１】
また、本発明のクロスダイクロイックプリズムの製造方法において、前記プリズムペアの前記第１面に接着層を形成するために前記基準面の上に基材を配置し、この基材と前記第１面との間に接着層を設け、前記波長選択性反射膜を形成する前に前記基材を前記接着層から剥がすことが好ましい。
【００１２】
この発明によれば、基準面の上に基材を配置し、この基材と第１面との間に接着剤を注入して接着層を形成している。これにより、基準面とプリズムペアが接着剤により接着されず、プリズムペアを基準面から容易に取り外し可能となる。また、この基材を接着剤により接着しにくい素材とすることで、プリズムペアと基材とを容易に取り外し可能となり、生産性も良好になる。
【００１３】
さらに、本発明のクロスダイクロイックプリズムの製造方法では、前記基材は可撓性フィルムであることが好ましい。
【００１４】
この発明によれば、基材が可撓性フィルムで形成されているので、プリズムペアの接着層から取り外しやすくなる。
【００１５】
そして、本発明のクロスダイクロイックプリズムの製造方法では、前記基準面は連続した平面であることが好ましい。
【００１６】
この発明によれば、基準面が連続した平面なので、その上においた基材も平面にすることができ、プリズムペアの第１面の接着層も容易に平面に形成することが可能となる。
【００１７】
また、本発明のクロスダイクロイックプリズムの製造方法では、前記接着層を平滑にする作業はバフ研磨で行うことが好ましい。
【００１８】
この発明によれば、第一面の接着層をバフ研磨により平滑にする。これにより、接着層の表面に傷をつけることなく、容易に表面を平滑に仕上げることが可能となる。
【００１９】
さらに、本発明のクロスダイクロイックプリズムの製造方法では、前記プリズムペアの前記第１面と前記波長選択性反射膜との間の接着層と前記第２面の間の接着層とは略Ｔ字形に連続形成されていることが好ましい。
【００２０】
この発明によれば、プリズムペアの第１面と第２面との接着層が連続してＴ字形に形成されている。これにより、接着剤を第１面側もしくは第２面側のどちらかから注入するだけで第１面と第２面との双方に接着層を形成することが可能となる。したがって、接着層の形成が容易になり、クロスダイクロイックプリズムの生産性も良好になる。
【００２１】
さらには、本発明のクロスダイクロイックプリズムの製造方法では、前記プリズムペアを予め２組用意し、これらのプリズムペアの一方に前記波長選択性反射膜を形成し、この波長選択性反射膜と残りのプリズムペアの前記第１面との間に接着層を形成することが好ましい。
【００２２】
この発明では、２つのプリズムペアのうち一方の第１面に波長選択性反射膜を形成し、この一方のプリズムペアの第１面の波長選択性反射膜と他方のプリズムペアの第１面との間に接着層を形成してクロスダイクロイックプリズムを形成している。これにより、一方のプリズムペアにだけ波長選択性反射膜を形成すればよく、容易にクロスダイクロイックプリズムを形成することが可能となる。
【００２３】
そして、本発明のクロスダイクロイックプリズムは、上述したようなクロスダイクロイックプリズムの製造方法で製造されたことを特徴とする。
この発明によれば、クロスダイクロイックプリズムを構成するプリズムペアの第１面に形成される接着層が平坦面となるように形成され、この接着層の面に波長選択性反射膜が形成されている。このため、クロスダイクロイックに光を入射させた場合に、所定の波長の光が良好にこの波長選択性反射膜により反射される。したがって、クロスダイクロイックプリズムにて形成されるカラー画像には色ずれがなく、画質も低下しない。
【００２４】
また、本発明の光学装置は、上記のクロスダイクロイックプリズムと、このクロスダイクロイックプリズムの外側に位置している４面のうち３面にそれぞれ近接配置される液晶パネルと、前記クロスダイクロイックプリズムのうち残り１面に対向配置される投射レンズとを備えたことを特徴とする。
【００２５】
さらに、本発明のプロジェクタは、上記光学装置を備えたことを特徴とする。
【００２６】
この発明では、上記のようにクロスダイクロイックプリズムで形成されるカラー画像には、色ずれや画質低下がないため、このようなクロスダイクロイックプリズムを格納する光学装置やプロジェクタは、良画質なカラー画像を投射可能となる。
【発明を実施するための最良の形態】
【００２７】
以下、本発明の一実施の形態に係るプロジェクタについて図面に基づいて説明する。
【００２８】
［プロジェクタの構成］
図１は、本発明の一実施の形態に係るプロジェクタの内部に設けられる光学系を模式的に示す図である。図２は、クロスダイクロイックプリズムを模式的に示す斜視図である。図３は、クロスダイクロイックプリズムの光軸面での断面を模式的に示す断面図である。
【００２９】
図１において、プロジェクタ１は、光源から射出された光束を画像情報に応じて変調し、スクリーン等の投射面上に拡大投射する。このプロジェクタ１は、図示しない外装ケースと、光学ユニット２と、図示しない電源ユニットおよび冷却ユニットとを含んで構成される。
【００３０】
光学ユニット２は、インテグレータ照明光学系２１と、色分離光学系２２と、リレー光学系２３と、光学装置３と、光学部品用筐体２５とに機能的に大別される。
【００３１】
インテグレータ照明光学系２１は、光源から射出された光束を照明光軸直交面内における照度を均一にするための光学系である。このインテグレータ照明光学系２１は、光源装置２１１、第１レンズアレイ２１２、第２レンズアレイ２１３、偏光変換素子２１４、及び重畳レンズ２１５を備えて構成される。
【００３２】
光源装置２１１は、光源ランプ２１６およびリフレクタ２１７を備えている。そして、光源ランプ２１６から射出された放射状の光束は、リフレクタ２１７で反射されて略平行光束とされ、外部へと射出される。本実施の形態では、光源ランプ２１６として、高圧水銀ランプを採用し、リフレクタ２１７として、放物面鏡を採用している。なお、光源ランプ２１６としては、高圧水銀ランプに限らず、例えばメタルハライドランプやハロゲンランプ等を採用してもよい。また、リフレクタ２１７として放物面鏡を採用しているが、これに限らず、楕円面鏡からなるリフレクタの射出面に平行化凹レンズを配置した構成を採用してもよい。
【００３３】
第１レンズアレイ２１２は、照明光軸方向から見てほぼ矩形状の輪郭を有する小レンズがマトリクス状に配列された構成を具備する。各小レンズは、光源ランプ２１６から射出された光束を部分光束に分割し、照明光軸方向に射出する。
【００３４】
第２レンズアレイ２１３は、第１レンズアレイ２１２と略同様の構成であり、小レンズがマトリクス状に配列された構成を具備する。この第２レンズアレイ２１３は、重畳レンズ２１５とともに、第１レンズアレイ２１２の各小レンズの像を光学装置３の後述する液晶パネル３１上に結像させる機能を有する。
【００３５】
偏光変換素子２１４は、第２レンズアレイ２１３からの光を略１種類の偏光光に変換するものであり、これにより、光学装置３での光の利用効率が高められている。具体的に、偏光変換素子２１４によって略１種類の偏光光に変換された各部分光束は、重畳レンズ２１５によって最終的に光学装置３の後述する液晶パネル３１上にほぼ重畳される。偏光光を変調するタイプの液晶パネル３１を用いたプロジェクタでは、１種類の偏光光しか利用できないため、ランダムな偏光光を発する光源ランプ２１６からの光束の略半分が利用されない。このため、偏光変換素子２１４を用いることにより、光源ランプ２１６から射出された光束を略１種類の偏光光に変換し、光学装置３における光の利用効率を高めている。なお、このような偏光変換素子２１４は、例えば、特開平８−３０４７３９号公報に紹介されている。
【００３６】
色分離光学系２２は、２枚のダイクロイックミラー２２１，２２２と、反射ミラー２２３とを備える。インテグレータ照明光学系２１から射出された複数の部分光束は、２枚のダイクロイックミラー２２１，２２２により赤（Ｒ）、緑（Ｇ）、青（Ｂ）の３色の色光に分離される。
【００３７】
リレー光学系２３は、入射側レンズ２３１と、リレーレンズ２３３と、反射ミラー２３２，２３４とを備える。このリレー光学系２３は、色分離光学系２２で分離された色光である青色光を光学装置３の後述する青色光用の液晶パネル３１まで導く機能を有している。
【００３８】
この際、色分離光学系２２のダイクロイックミラー２２１では、インテグレータ照明光学系２１から射出された光束のうち、青色光成分と緑色光成分とは透過し、赤色光成分は反射する。ダイクロイックミラー２２１によって反射した赤色光は、反射ミラー２２３で反射し、フィールドレンズ２１８を通って、後述する赤色光用の液晶パネル３１に到達する。このフィールドレンズ２１８は、第２レンズアレイ２１３から射出された各部分光束をその中心軸（主光線）に対して平行な光束に変換する。他の緑色光、青色光用の液晶パネル３１の光入射側に設けられたフィールドレンズ２１８も同様である。
【００３９】
また、ダイクロイックミラー２２１を透過した青色光と緑色光のうちで、緑色光は、ダイクロイックミラー２２２によって反射し、フィールドレンズ２１８を通って、後述する緑色光用の液晶パネル３１に到達する。一方、青色光は、ダイクロイックミラー２２２を透過してリレー光学系２３を通り、さらにフィールドレンズ２１８を通って、後述する青色光用の液晶パネル３１に到達する。
【００４０】
なお、リレー光学系２３には、３つの色光のうちの青色光を通す構成としたが、これに限らず、例えば、赤色光を通す構成としてもよい。
【００４１】
光学装置３は、入射された光束を画像情報に応じて変調してカラー画像（光学像）を形成し、形成したカラー画像を拡大投射する。この光学装置３は、図１に示すように、３つの液晶パネル３１（赤色光用の液晶パネルを３１Ｒ、緑色光用の液晶パネルを３１Ｇ、青色光用の液晶パネルを３１Ｂとする）と、これら液晶パネル３１の光束入射側および光束射出側にそれぞれ対向配置される入射側偏光板３２および光学変換板３３と、クロスダイクロイックプリズム３４と、ヘッド体４と、投射レンズ５とを備える。そして、これらのうち、３つの液晶パネル３１、３つの光学変換板３３、およびクロスダイクロイックプリズム３４は一体化され、光学装置本体３０を構成する。なお、光学装置本体３０は、具体的な構成は後述するが、液晶パネル３１、光学変換板３３、およびクロスダイクロイックプリズム３４以外に、液晶パネル３１を保持する保持枠、第２光学変換板３３Ｂを保持するとともに液晶パネル３１をクロスダイクロイックプリズム３４に取り付ける保持部材等を備える。
【００４２】
入射側偏光板３２は、偏光変換素子２１４で偏光方向が略一方向に揃えられた各色光が入射され、入射された光束のうち、偏光変換素子２１４で揃えられた光束の偏光軸と略同一方向（第１偏光方向）の偏光光のみ透過させ、その他の光束を吸収するものである。この入射側偏光板３２は、図示を省略するが、透光性基板上に偏光膜が貼付された構成を有している。なお、本実施形態では、入射側偏光板３２を光学装置本体３０と別体で構成しているが、光学装置本体３０と一体化する構成を採用してもよい。また、透光性基板を用いずに、偏光膜をフィールドレンズ２１８に貼り付ける構成を採用してもよい。
【００４３】
液晶パネル３１は、図示は省略するが、一対の透明なガラス基板に電気光学物質である液晶が密閉封入された構成を有し、前記制御基板から出力される駆動信号に応じて、前記液晶の配向状態が制御され、入射側偏光板３２から射出された偏光光束の偏光方向を変調する。
【００４４】
光学変換板３３は、第１光学変換板３３Ａと、第２光学変換板３３Ｂとから構成されている。
【００４５】
第１光学変換板３３Ａは、前述の入射側偏光板３２と略同様の構成を有し、入射された光束のうち、所定方向（第２偏光方向）の偏光光のみを透過させ、その他の光束を吸収するものである。
【００４６】
第２光学変換板３３Ｂは、液晶パネル３１から射出された光束のうち、所定方向の偏光光のみを透過させ、その他の光束を吸収するとともに、液晶パネル３１から射出された光束の視野角を拡大する。
【００４７】
クロスダイクロイックプリズム３４は、光学変換板３３から入射される赤色光、青色光、および緑色光を合成してカラー画像を形成し、投射レンズ５に出射する。なお、クロスダイクロイックプリズム３４の詳細な説明については後述する。
【００４８】
投射レンズ５は、先端部分が図示しない外装ケースから露出可能に配置され、クロスダイクロイックプリズム３４にて形成されたカラー画像を拡大投射する。この投射レンズ５は、筒状の鏡筒内に複数のレンズが収納された組レンズとして構成されている。また、この投射レンズ５には、複数のレンズの相対位置を変更するレバーが設けられ、投射像のフォーカス調整、および倍率調整可能に構成されているものであってもよい。
【００４９】
ヘッド体４は、例えばアルミニウム合金またはマグネシウム合金等の金属材料から構成され、光学装置本体３０および投射レンズ５を一体化するとともに、一体化したユニットを光学部品用筐体２５に対して取り付けるものである。
【００５０】
光学部品用筐体２５は、合成樹脂製の成形品であり、内部に所定の照明光軸が設定され、上述した光学部品３１〜３４を照明光軸に対する所定位置に配置する。なお、光学部品用筐体２５は、合成樹脂製の成形品に限らず、その他、金属製部材から構成してもよい。
【００５１】
［クロスダイクロイックプリズムの構成］
クロスダイクロイックプリズム３４は、光学変換板３３から射出された各色光がそれぞれ入射される３つの入射端面を備え、色光毎に変調された光学像を合成してカラー画像を形成する光学素子である。このクロスダイクロイックプリズム３４は、図２に示すように、４つの三角柱プリズムとしてのダイクロイックプリズム３４１の頂角同士を中央部に近接させて貼り合わせ、平面視正方形状に形成されている。すなわち、赤色光用の液晶パネル３１Ｒからの赤色光が入射する赤色光側ダイクロイックプリズム３４１Ａと、青色光用の液晶パネル３１Ｂからの青色光が入射する青色光側ダイクロイックプリズム３４１Ｂと、緑色光が入射する緑色光側ダイクロイックプリズム３４１Ｃと、合成された光が出射する投射レンズ側ダイクロイックプリズム３４１Ｄとの頂角同士を近接させて平面視正方形状に形成されている。
また、このようなクロスダイクロイックプリズム３４は、赤色光側ダイクロイックプリズム３４１Ａおよび緑色光側ダイクロイックプリズム３４１Ｃを組み合わせた第一プリズムペア３４５Ａと、青色光側ダイクロイックプリズム３４１Ｂおよび投射レンズ側ダイクロイックプリズム３４１Ｄを組み合わせた第二プリズムペア３４５Ｂとを接着することにより形成される。なお、クロスダイクロイックプリズム３４の詳細な製造方法については後述する。
【００５２】
これらのダイクロイックプリズム３４１には、図３に示すように、光学変換板３３からの光が入射または投射レンズ５に光を出射する入出射面３４２Ａが設けられている。
【００５３】
また、第一プリズムペア３４５Ａにおける緑色光側ダイクロイックプリズム３４１Ｃの赤色光側ダイクロイックプリズム３４１Ａに対向する面、および第二プリズムペア３４５Ｂにおける青色光側ダイクロイックプリズム３４１Ｂの投射レンズ側ダイクロイックプリズム３４１Ｄに対向する面には、波長選択性反射膜３４３が設けられる第２面としての反射膜形成面３４２Ｂが設けられている。この反射膜形成面３４２Ｂの表面には、赤色光のみを反射し、他の波長の光を透過する赤色光反射膜３４３Ａが形成されている。なお、この赤色光反射膜３４３Ａは、第１および第２プリズムペア３４５Ａ，３４５Ｂを貼りつけてクロスダイクロイックプリズム３４とした際に、同一平面上で配置されるように形成されている。
【００５４】
さらに、赤色光側ダイクロイックプリズム３４１Ａおよび投射レンズ側ダイクロイックプリズム３４１Ｄの反射膜形成面３４２Ｂに対向する面には、第２面としての接着面３４２Ｃが形成されている。そして、この接着面３４２Ｃおよび赤色光反射膜３４３Ａの間には、接着剤が注入されて接着層３４４が形成されている。
【００５５】
さらには、赤色光側ダイクロイックプリズム３４１Ａおよび緑色光側ダイクロイックプリズム３４１Ｃの第２プリズムペアに対向する面と、青色光側ダイクロイックプリズム３４１Ｂおよび投射レンズ側ダイクロイックプリズム３４１Ｄの第１プリズムペアに代行する面とには、第１面としての接合形成面３４２Ｄが形成されている。これらの接合形成面３４２Ｄにも接着剤による接着層３４４が形成されており、これらの接着層３４４の互いに対向する面には平坦な接合面３４２Ｅが形成されている。そして、これらの接合面３４２Ｅのうち一方、例えば本実施形態では、第２プリズムペア３４５Ａの接合面３４２Ｅの表面の全面に青色光反射膜３４３Ｂが形成されている。なお、上述した波長選択性反射膜３４３（青色光反射膜３４３Ｂ）および接着層３４４の厚み寸法は、１．５μｍないし３．７μｍに形成されている。
【００５６】
なお、図３において、波長選択性反射膜３４３および接着層３４４は、説明を分かりやすくするため厚み寸法を大きく表示しているが、実際にはダイクロイックプリズム３４１の表面に厚み寸法が１．５μｍないし３．７μｍとなるように膜状に形成されるものであり、ダイクロイックプリズム３４１の大きさに対して微小寸法に形成されている。
【００５７】
以上の構成により、クロスダイクロイックプリズム３４は、赤色光側ダイクロイックプリズム３４１Ａに入射した赤色光を赤色光反射膜３４３Ａで投射レンズ側ダイクロイックプリズム３４１Ｄに反射させ、青色光側ダイクロイックプリズム３４１Ｂに入射した青色光を青色光反射膜３４３Ｂで投射レンズ側に反射させ、緑色光側ダイクロイックプリズム３４１Ｃから入射した緑色光をそのまま投射レンズ側ダイクロイックプリズムに透過させて、各色光を合成してカラー画像を形成し、投射レンズ側ダイクロイックプリズム３４１Ｄの入出射面３４２Ａから出射する。
【００５８】
［クロスダイクロイックプリズムの製造］
次に上述したようなクロスダイクロイックプリズム３４の製造方法について、図４ないし図７に基づいて説明する。図４は、クロスダイクロイックプリズムを製造する製造治具およびこの製造治具に載置されたダイクロイックプリズムの概略を模式的に示す斜視図である。図５は、クロスダイクロイックプリズムの製造工程を示す図であり、（Ａ）は２個のダイクロイックプリズムを接着する工程を示す図、（Ｂ）は、接着された２個のダイクロイックプリズムからフィルムを剥がすフィルム除去工程を示す図、（Ｃ）は、接合面に波長選択性反射膜を形成する反射膜成形工程を示す図、（Ｄ）は第１および第２プリズムペアを組み合わせて接着した接着工程を示す図である。図６は、接着層の接合面研磨工程を示す図であり、（Ａ）は図５（Ｂ）においてフィルムを剥がした状態の第２プリズムペアを示す図、（Ｂ）は第２プリズムペアの接合面の研磨中の状態を示す図、（Ｃ）は第２プリズムペアの接合面の研磨終了時の状態を示す図、（Ｄ）は第２プリズムペアの接合面に波長選択反射膜を形成した状態を示す図である。図７は、接着工程で接着固定されたクロスダイクロイックプリズムを示す斜視図である。なお、図４ないし図６においては、説明を分かり易くするため、図３と同様に波長選択性反射膜３４３および接着層３４４の厚み寸法は実際よりも誇張して大きく表示している。
【００５９】
クロスダイクロイックプリズム３４を製造するためには、先ず、４つのダイクロイックプリズム３４１を製作する。すなわち、例えばガラスを切削および研磨することで断面略直角二等辺三角形の三角柱のダイクロイックプリズム３４１を製造する。
【００６０】
次に、このようにして製作されたダイクロイックプリズム３４１のうち、緑色光側ダイクロイックプリズム３４１Ｃおよび青色光側ダイクロイックプリズム３４１Ｂの反射膜形成面３４２Ｂの表面に、誘電多層膜を蒸着またはスパッタなどすることで、波長選択性反射膜３４３（赤色光反射膜３４３Ａ）を形成する。
【００６１】
この後、図４に示すような製造治具１００に各ダイクロイックプリズム３４１を載置する。この製造治具１００は、２つのダイクロイックプリズム３４１を接着してプリズムペア３４５Ａ，３４５Ｂを製作するための治具であり、例えばガラスなどにて形成されている。この製造治具１００は、平坦面状の基準面１０１を備えており、この基準面１０１は、表面全体が研磨されて平滑に形成されている。また、この基準面の上面には、基材、および可撓性フィルムとしてのフィルム１１０が載置されている。このフィルム１１０としては、接着剤が嫌気性であるため、酸素透過度が低い素材、例えば、有機ポリマーおよび無機化合物からなるハイブリッドコート層を持つガスバリア性フィルムである商品名コージンコーバリア（株式会社 興人製）、ＯＮＹフィルム（二軸延伸ナイロンフィルム）、ＯＰＰフィルム（二軸延伸ポリプロピレンフィルム）、ＰＥＴフィルム（ポリエチレンテレフタレートフィルム）などが用いられる。このようなフィルム１１０は、固化された接着剤に対して容易に剥がすことが可能であるため、プリズムペア３４５を容易に取り外すことが可能となる。
【００６２】
このような製造治具１００の基準面１０１のフィルム１１０に、図４および図５（Ａ）に示すように、第１プリズムペア３４５Ａまたは第２プリズムペア３４５Ｂを形成するための２つのダイクロイックプリズム３４１の接合形成面３４２Ｄを対向させて載置する。この後、赤色光反射膜３４３Ａおよび接着面３４２Ｃとの間、および接合形成面３４２Ｄおよびフィルム１１０の間に接着剤を注入する。この際、接合形成面３４２Ｄおよびフィルム１１０の間と、赤色光反射膜３４３Ａおよび接着面３４２Ｃとの間とに形成される接着層３４４が略Ｔ字型に連続するように接着剤を注入する（接着剤注入工程）。なお、この接着剤としては、透光性、ガラス接着性、精密性が良好な接着剤、例えば商品名ＵＴ２０（株式会社アーデル製）などが用いられる。そして、ダイクロイックプリズム３４１を基準面１０１側に押し付けるとともに、２つのダイクロイックプリズム３４１を互いに近接させる方向に押し付ける（押圧工程）。これにより、接着剤を赤色光反射膜３４３Ａおよび接着面３４２Ｃの間、および接合形成面３４２Ｄおよびフィルム１１０の間全体に均一に充填させることが可能となり、Ｔ字形の接着層３４４が形成される。
【００６３】
この後、接着剤が固化し、赤色光反射膜３４３Ａおよび接着面３４２Ｃの間、および接合形成面３４２Ｄおよびフィルム１１０の間に接着層３４４が形成されると、基準面１０１からフィルム１１０とともに第１および第２プリズムペア３４５Ａ，３４５Ｂを取り出し、図５（Ｂ）に示すように、フィルム１１０を剥がして除去する（フィルム除去工程）。
【００６４】
ここで、押圧工程において、ダイクロイックプリズム３４１を押し付ける力の差や、接着剤の注入量や充填量の差などにより、プリズムペア３４５Ａ，３４５Ｂを構成する２つのダイクロイックプリズム３４１に段差が生じたり、接合面３４２Ｅに凹凸ができたりする場合がある。このような場合、図６（Ａ）ないし図６（Ｃ）に示すように、これらのプリズムペア３４５Ａ，３４５Ｂの接合面３４２Ｅを研磨する（接合面研磨工程）。この接合面研磨工程では、柔らかい布などに研磨剤を付けて表面を研磨する、いわゆるバフ研磨が実施される。また、この接合面研磨工程では、２つの接合形成面３４２Ｄのうち、いずれか一方に形成される接着層３４４の厚み寸法が所定寸法、例えば１．５μｍないし３．７μｍとなるまで研磨が続けられる。これにより、接着層３４４のみが研磨され、接合形成面３４２Ｄが研磨されることがない。そして、この接合面研磨工程において平坦な接合面３４５Ｅが形成される。
【００６５】
次に、図５（Ｃ）および図６（Ｄ）に示すように、第２プリズムペア３４５Ｂにおいて、接合面研磨工程にて形成された接合面３４５Ｅに青色光反射膜３４３Ｂを形成する。青色光反射膜３４３Ｂの形成も、赤色光反射膜３４３Ａの形成と同様に、誘導多層膜を例えば蒸着、スパッタなどすることにより形成される（反射膜形成工程)。これにより、第１および第２プリズムペア３４５Ａ，３４５Ｂが形成される。
【００６６】
この後、上記において作成された２つのプリズムペア３４５を組み合わせて、図５（Ｄ）に示すように、第２プリズムペア３４５Ｂの接合面３４２Ｅに形成された青色光反射膜３４３Ｂと、第１プリズムペア３４５Ａの接合面３４５Ｅとの間に接着剤を注入し、接着層３４４を形成させてこれらの第１および第２プリズムペア３４５Ａ，３４５Ｂを接着固定する。これには、例えば、２つのプリズムペア３４５の両端位置３４６（図７参照）において、接着層３４４が形成される位置に図示しない保持部材を挿入し、プリズムペア３４５の位置を決定し、接着剤を注入して接着層３４４を形成する。これにより図７に示すような柱状のクロスダイクロイックプリズム３４７が形成される。この後、この柱状のクロスダイクロイックプリズム３４７を光学装置３に装着可能な大きさに切断（図７中破線で示す）する。
以上により本実施形態のクロスダイクロイックプリズム３４が製造される。
【００６７】
［実施形態の作用効果］
上述したような本実施形態のプロジェクタ１のクロスダイクロイックプリズム３４では、４個のダイクロイックプリズム３４１のうち２個、例えば青色光側ダイクロイックプリズム３４１Ｂおよび投射レンズ側ダイクロイックプリズム３４１Ｄをそれぞれ接合形成面３４２Ｄを基準面１０１に対向させて載置し、赤色光反射膜３４３Ａおよび接着面３４２Ｃとの間に接着剤を注入して接着させる。また、接合形成面３４２Ｄにも接着剤を充填させ、接着層３４４を形成する。そして、接合形成面３４２Ｄ側の接着層３４４を研磨して平滑な接合面３４２Ｅを形成し、この平滑な接合面３４２Ｅの全面に青色光反射膜３４３Ｂを連続形成する。
このため、ダイクロイックプリズム３４１を削らずに、接着層３４４のみを平滑に研磨して接合面３４２Ｅを形成できるので、素材の違いによるひび割れなどの欠損部や凹状部ができない。したがって、接合面３４２Ｅが確実に平滑に形成されるので、容易にこの接合面３４２Ｅの全面に青色光反射膜３４３Ｂを形成できる。よって、青色光反射膜３４３Ｂに凹状孔部や凹溝部がないため、青色光の色ずれなどを起すことなく良好に青色光を反射させることができる。
また、このようなクロスダイクロイックプリズム３４を搭載される光学装置３やプロジェクタ１は、カラー画像も色ずれなどが生じず、良質な画質のカラー画像を投射できる。
【００６８】
また、基準面１０１の上にフィルム１１０を載置し、このフィルム１１０と接合形成面３４２Ｄとの間に接着剤を注入して接着層を形成している。このため、基準面１０１とプリズムペア３４５が接着剤により接着されず、プリズムペア３４５を基準面１０１から容易に取り外しすることができる。また、このフィルム１１０は、可撓性を有しているため、接合形成面３４２Ｄおよびフィルム１１０の間に接着層３４４を形成した後に、フィルム１１０だけを容易に取り剥がすことができる。従って、容易にプリズムペア３４５を形成でき、ひいてはクロスダイクロイックプリズム３４の生産性をも向上させることができる。
【００６９】
そして、基準面１０１は連続した平坦面に形成されている。このため、基準面１０１の上に載置されるフィルム１１０の面も平坦にでき、このようなフィルム１１０に接着剤を注入するため接着層３４４の接合面３４２Ｅも平面に形成することができる。したがって、接合研磨工程において、予め全体が平面となっているので、凹凸差があまりなく、容易に接合面３４２Ｅを研磨して平滑に形成することができる。
【００７０】
また、接合面研磨工程では、接着層３４４をバフ研磨して接合面３４２Ｅを形成している。このため、皮布などで形成された柔らかいバフに研磨材を付けてゆっくり接着層３４４を研磨するので、接合面３４２Ｅに傷などが付きにくく、容易に平滑面を形成することができる。
【００７１】
さらに、プリズムペア３４５は、赤色光反射膜３４３Ａとこの赤色光反射膜３４３Ａに対向する接着面３４２Ｃとの間、および接合形成面３４２Ｄとフィルム１１０との間に連続して接着剤を注入して接着層３４４を形成している。このため、接着剤を１箇所から赤色光反射膜３４３Ａおよび接着面３４２Ｃの間、および接合形成面３４２Ｄおよびとフィルム１１０の間の全体に亘って注入させることができる。従って、接着層３４４の形成が容易にでき、プリズムペア３４５の生産性も向上させることができる。
【００７２】
さらには、２つのプリズムペア３４５Ａ，３４５Ｂのうち第二プリズムペア３４５Ｂの接合面３４２Ｅに青色光反射膜３４３Ｂを形成し、この青色光反射膜３４３Ｂと第一プリズムペア３４５Ａの接合面３４２Ｅとの間に接着層３４４を形成してクロスダイクロイックプリズム３４を形成している。このため、青色光反射膜３４３Ｂを第二プリズムペア３４５Ｂにだけ形成しているので、青色光反射膜３４３Ｂの厚み寸法を小さくできる。
【００７３】
そして、プロジェクタ１や光学装置３は、上記のような製造方法で製造されたクロスダイクロイックプリズム３４を内部に格納して、このクロスダイクロイックプリズム３４にて形成されたカラー画像を投射している。このため、プロジェクタ１および光学装置３も、色ずれなどがない良質なカラー画像を投射できる。
【００７４】
［実施形態の変形例］
なお、本発明は前述の実施形態に限定されるものではなく、本発明の目的を達成できる範囲での変形、改良等は本発明に含まれるものである。
【００７５】
例えば、上記実施の形態では、赤色光側ダイクロイックプリズム３４１Ａと緑色光側ダイクロイックプリズム３４１Ｃを接着して第一プリズムペア３４５Ａを形成し、および青色光側ダイクロイックプリズム３４１Ｂおよび投射レンズ側ダイクロイックプリズム３４１Ｄを接着して第二プリズムペア３４５Ｂを形成し、これらの第一および第二プリズムペア３４５Ａ，３４５Ｂを接着してクロスダイクロイックプリズム３４を製造する例を示したが、これに限定されない。
例えば赤色光側ダイクロイックプリズム３４１Ａおよび投射レンズ側ダイクロイックプリズム３４１Ｄを接着した第１プリズムペアと、青色光側ダイクロイックプリズム３４１Ｂおよび緑色光側ダイクロイックプリズム３４１Ｃを接着した第２プリズムペアとを接着してクロスダイクロイックプリズムを形成してもよい。この場合、赤色光側ダイクロイックプリズム３４１Ａおよび投射レンズ側ダイクロイックプリズム３４１Ｄのうちいずれか一方に青色光反射膜３４３Ｂを形成し、この青色光反射膜３４３Ｂと対向する他方のダイクロイックプリズム３４との間に接着層３４４を形成する。同様に、青色光側ダイクロイックプリズム３４１Ｂおよび緑色光側ダイクロイックプリズム３４１Ｃのうちいずれか一方に青色光反射膜３４３Ｂを形成し、この青色光反射膜３４３Ｂと他方のダイクロイックプリズム３４１との間に接着層３４４を形成する。
このような場合でも第１および第２プリズムペアの接合形成面３４２Ｄに接着層３４４を形成し、表面を研磨して接合面３４２Ｅを形成し、これらの接合面３４２Ｅのうち一方に赤色光反射膜３４３Ａを全面に形成して接着することで、上記実施形態と同様に、良好な画質のクロスダイクロイックプリズムを製造することができる。
【００７６】
また、上記実施の形態では、赤色光側ダイクロイックプリズム３４１Ａに対向する位置に青色光側ダイクロイックプリズム３４１Ｂを配置したクロスダイクロイックプリズム３４を例示したが、例えば赤色光側ダイクロイックプリズム３４１Ａに対向する位置に緑色光側ダイクロイックプリズム３４１Ｃを配置した構成としてもよい。この場合、青色光反射膜３４３Ｂに代わって緑色光のみを反射する緑色光反射膜を設ける構成にすればよい。
【００７７】
さらに、第一および第二プリズムペア３４５Ａ，３４５Ｂのうちいずれか一方の接合面３４２Ｅに青色光反射膜３４３Ｂを形成する構成を示したが、これに限定されない。例えば、第一および第二プリズムペア３４５Ａ，３４５Ｂの双方の接合面３４２Ｅに青色光反射膜３４３Ｂが形成される構成であってもよい。
【００７８】
そして、上記実施の形態では、基材として可撓性を有するフィルム１１０を用いる例を示したが、これに限らない。例えば、表面にロウが塗布された板状部材であってもよい。この場合、基材と接合形成面３４２Ｄとの間に接着層３４４を形成した後、この基材を暖めることで、ロウが解けてプリズムペア３４５を基材から取り外すことができる。また、塗布したロウの表面を平坦面にすることで、接着層３４４の表面を平坦にすることができ、接合面研磨工程におけるバフ研磨の労力を少なくすることができる。
【００７９】
また、赤色光反射膜３４３Ａと接着面３４２Ｃとの間の接着層３４４、および接合形成面３４２Ｄとフィルム１１０との間の接着層３４４とを連続して形成する例を示したがこれに限定されず、例えばこれらの接着層３４４がそれぞれ別途形成されていてもよい。この場合でも接合形成面３４２Ｄとフィルム１１０との間に接着層３４４を形成し、この接着層３４４を研磨して接合面３４２Ｅを形成するため、接合面３４２Ｅを確実に平坦にすることができる。
【００８０】
本発明を実施するための最良の構成などは、以上の記載で開示されているが、本発明は、これに限定されるものではない。すなわち、本発明は、主に特定の実施形態に関して特に図示され、かつ、説明されているが、本発明の技術的思想および目的の範囲から逸脱することなく、以上述べた実施形態に対し、形状、材質、数量、その他の詳細な構成において、当業者が様々な変形を加えることができるものである。
【００８１】
したがって、上記に開示した形状、材質などを限定した記載は、本発明の理解を容易にするために例示的に記載したものであり、本発明を限定するものではないから、それらの形状、材質などの限定の一部若しくは全部の限定を外した部材の名称での記載は、本発明に含まれるものである。
【産業上の利用可能性】
【００８２】
本発明は、プロジェクタに内蔵される光学装置のクロスダイクロイックプリズムに利用することができる。
【図面の簡単な説明】
【００８３】
【図１】本発明の一実施の形態に係るプロジェクタの内部に設けられる光学系を模式的に示す図である。
【図２】クロスダイクロイックプリズムを模式的に示す斜視図である。
【図３】クロスダイクロイックプリズムの光軸面での断面を模式的に示す断面図である。
【図４】クロスダイクロイックプリズムを製造する製造治具およびこの製造治具に載置されたダイクロイックプリズムの概略を模式的に示す斜視図である。
【図５】クロスダイクロイックプリズムの製造工程を示す図であり、（Ａ）は２個のダイクロイックプリズムを接着する工程を示す図、（Ｂ）は、接着された２個のダイクロイックプリズムからフィルムを剥がすフィルム除去工程を示す図、（Ｃ）は、接合面に波長選択性反射膜を形成する反射膜成形工程を示す図、（Ｄ）は第１および第２プリズムペアを組み合わせて接着した接着工程を示す図である。
【図６】接着層の接合面研磨工程を示す図であり、（Ａ）は図５（Ｂ）においてフィルムを剥がした状態の第２プリズムペアを示す図、（Ｂ）は第２プリズムペアの接合面の研磨中の状態を示す図、（Ｃ）は第２プリズムペアの接合面の研磨終了時の状態を示す図、（Ｄ）は第２プリズムペアの接合面に波長選択反射膜を形成した状態を示す図である。
【図７】接着工程で接着固定されたクロスダイクロイックプリズムを示す斜視図である。
【符号の説明】
【００８４】
１…プロジェクタ、３…光学装置、５…投射レンズ、３３…液晶パネル、３４…クロスダイクロイックプリズム、１０１…基準面、１１０…基材、および可撓性フィルムとしてのフィルム、３４１…三角柱プリズムとしてのダイクロイックプリズム、３４２Ｂ…第２面としての反射膜形成面、３４２Ｃ…第２面としての接着面、３４２Ｄ…第１面としての接合形成面、３４３…波長選択性反射膜、３４４…接着層、３４５…プリズムペア。
【図１】
2007058008.tif 000003
【図２】
2007058008.tif 000004
【図３】
2007058008.tif 000005
【図４】
2007058008.tif 000006
【図５】
2007058008.tif 000007
【図６】
2007058008.tif 000008
【図７】
2007058008.tif 000009